【事件の表示】
　特許第２９２９３８１号「電源接続装置、電源装置を有するカメラ本体およびカメラ本体に対して着脱自在な付属品」の特許請求の範囲第１，３，５項に記載された発明についての特許に対する特許異議の申立てについて、次のとおり決定する。
【結　論】
　訂正を認める。
　特許第２９２９３８１号の特許請求の範囲第１項、第３項、第５項に記載された発明についての特許を維持する。
【理　由】
（１）手続の経緯
　特許第２９２９３８１号の特許請求の範囲第１，３，５項に記載された発明は、昭和６１年５月１６日に特許出願され、平成１１年５月２１日にその特許の設定登録がなされ、その後異議申立人小塚浩により特許異議の申立がなされ、取消理由通知がなされ、その指定期間内である平成１２年８月１日に訂正請求がなされたものである。
　
（２）訂正の適否についての判断
　（ア）訂正の内容
訂正事項ａ
　特許請求の範囲第１項を「（１）付属品の電気端子に接続される力メラ本体の電気的接続部を有する着脱自在な接続部によって電源部を有するカメラ本体と電源を持たない付属品とを接続する電源接続装置において、前記カメラ本体と前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記カメラ本体の電源部から前記付属品に電力を供給する供給手段とを具備したことを特徴とする電源接続装置。」と訂正する。
　
訂正事項ｂ
　特許請求の範囲第３項を「（３）着脱自在な電源を持たない付属品の電気端子に、その装着状態で接続されるカメラ本体の電気的接続部を介して電力を供給する電源装置を有するカメラ本体であって、前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記付属品に電力を供給する供給手段を具備することを特徴とする電源装置を有するカメラ本体。」と訂正する。
　
訂正事項ｃ
　特許請求の範囲第５項を「（５）付属品の装着状態で付属品の電気端子に接続されるカメラ本体の電気的接続部を介して電力を供給する電源装置を有するカメラ本体に対して着脱自在な電源を持たない付属品であって、前記カメラ本体は前記付属品の装着において状態が第１の状態から第２の状態へ切り換わるスイッチと、前記付属品が力メラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して電力を供給する供給手段を具備することを特徴とするカメラ本体に対して着脱自在な付属品。」と訂正する。
　
訂正事項ｄ
　明細書の〔問題点を解決するための手段〕を「この発明に係る電源接続装置は、付属品の電気端子に接続されるカメラ本体の電気的接続部を有する着脱自在な接続部によって電源部を有するカメラ本体と電源を持たない付属品とを接続する電源接続装置において、前記カメラ本体と前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記カメラ本体の電源部から前記付属品に電力を供給する供給手段とを具備したものである。
　また、この発明に係る電源装置を有するカメラ本体は、着脱自在な電源を持たない付属品の電気端子に、その装着状態で接続されるカメラ本体の電気的接続部を介して電力を供給する電源装置を有するカメラ本体であって、前記付属品の装着において状態が第１の状態から第２の状態へ切り換わるスイッチと、前記付属品が力メラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記付属品に電力を供給する供給手段を具備したものである。
　さらに、この発明に係るカメラ本体に対して着脱自在な付属品は、付属品の装着状態で付属品の電気端子に接続されるカメラ本体の電気的接続部を介して電力を供給する電源装置を有するカメラ本体に対して着脱自在な電源を持たない付属品であって、前記カメラ本体は前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して電力を供給する供給手段を具備したものである。」と訂正する。
　
　（イ）訂正の目的の適否、新規事項の有無及び拡張・変更の存否
　訂正事項ａ、ｂ及びｃに係る訂正は、特許請求の範囲の減縮に該当し、実質的に特許請求の範囲を拡張又は変更するものではないし、新規事項の追加にも該当しない。
　
　訂正事項ｄに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書、及び第２項の規定に適合するので、当該訂正を認める。
　
（３）特許異議の申立について
　（ア）申立の理由の概要
　申立人小塚浩は、証拠として甲第１号証（特開昭６０−４９１６号公報）を提出し、本件特許請求の範囲第１，３，５項に記載された発明は、甲第１号証に記載された発明、あるいは、甲第１号証記載の発明に基づいて当業者が容易に発明することができたものであり、本件特許請求の範囲第１，３，５項に記載された発明の特許は特許法第２９条第１項第３号あるいは第２項の規定に違反してなされたものであるので、本件特許請求の範囲第１，３，５項に記載された発明の特許を取り消すべき旨主張している。
　
　（イ）本件特許請求の範囲第１，３，５項に記載された発明
「（１）付属品の電気端子に接続される力メラ本体の電気的接続部を有する着脱自在な接続部によって電源部を有するカメラ本体と電源を持たない付属品とを接続する電源接続装置において、前記カメラ本体と前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記カメラ本体の電源部から前記付属品に電力を供給する供給手段とを具備したことを特徴とする電源接続装置。（以下、「本願発明１」という。）
　
（３）着脱自在な電源を持たない付属品の電気端子に、その装着状態で接続されるカメラ本体の電気的接続部を介して電力を供給する電源装置を有するカメラ本体であって、前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記付属品に電力を供給する供給手段を具備することを特徴とする電源装置を有するカメラ本体。（以下、「本願発明２」という。）
　
（５）付属品の装着状態で付属品の電気端子に接続されるカメラ本体の電気的接続部を介して電力を供給する電源装置を有するカメラ本体に対して着脱自在な電源を持たない付属品であって、前記カメラ本体は前記付属品の装着において状態が第１の状態から第２の状態へ切り換わるスイッチと、前記付属品が力メラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して電力を供給する供給手段を具備することを特徴とするカメラ本体に対して着脱自在な付属品。（以下、「本願発明３」という。）」
　
　（ウ）引用刊行物
　本件特許請求の範囲第１，３，５項に記載された発明に対して、当審が平成１２年５月１８日付で通知した取消理由で引用した刊行物１〔甲第１号証（特開昭６０−４９１６号公報）〕には、
（あ）「技術分野
　本発明は、カメラ本体に焦点調整状態検出装置を備えたレンズ交換式カメラの合焦検出装置に関する。
従来技術
　上述の焦点検出装置は、カメラ本体に交換レンズが装着されていなかったり、装着されていても正常な装着位置に装着されていなかったり、カメラ本体と交換レンズとの間に近接撮影用の中間リングやベローズ等が挿入されていたりする場合には、焦点検出用光学系が変化するため焦点調整状態の検出結果の信頼性が低下するばかりか、場合によっては全く信頼性のないものとなる。従って、このような場合、検出結果に基づいて焦点調整を行なって合焦が得られる確率は極端に低くなる。即ち、この場合、焦点検出動作は無意味なものとなり、また無駄な電力を浪費するだけである。
目的
　本発明は、上述の不都合を解消して、無駄のない合理的なレンズ交換式カメラの合焦検出装置を提供しようとするものである。
要旨
　本発明は、交換レンズのカメラ本体への正常な装着を示すデータの入力を判定した判定信号と手動操作に応じた焦点検出動作開始信号とのアンドにより焦点検出動作を開始させるようにするものである。」（第１頁右欄第５行〜第２頁左上欄第１４行）
　
（い）「本発明による自動合焦カメラシステムの概略をレンズ交換式の一眼レフレックスカメラに用いた例を示す第１図に基づいて説明する。第１図において、一点鎖線の左側は交換レンズ（ＬＥ）の一例としてのズームレンズ、右側はカメラ本体（ＢＤ）であり、両者はそれぞれクラッチ（１０２）、（１０３）を介して機構的に、接続端子（ＪＬ１）〜（ＪＬ５）、（ＪＢ１）〜（ＪＢ５）を介して電気的に接続される。」（第２頁左上欄第１６行〜同頁右上欄第７行）
　
（う）「上記読取回路（ＬＤＣ）で読取られたレンズ回路（ＬＥＣ）のデータのうち、開放絞りのデータはレジスタ（１１０）に、チェック用データはレジスタ（１２１）に、変換係数のデータはレジスタ（１１６）にそれぞれ格納される。」（第２頁右下欄第４〜９行）
　
（え）「デコーダ（１２２）は、レジスタ（１２１）にチェック用データが格納されていない（即ち撮影レンズがカメラ本体に装着されていないか、あるいは装着されていても正常な装着位置まで装着されていない）場合に出力を“Ｈｉｇｈ”にする。デコーダ（１２３）は、レジスタ（１１６）に格納された変換係数のデータにより、装着された変換レンズの撮影光学系がいかなるカメラ本体での受光部（ＦＬＭ）の光学系にも適合していないことが判別された場合に、出力を“Ｈｉｇｈ”にする。
　オア回路（１２４）は、比較回路（１１２）、デコーダ（１２２）、（１２３）のいずれかからの“Ｈｉｇｈ”出力により、警告回路（１１３）および電磁クラッチ（１１４）を作動させ、信号処理回路（１１８）、モーター制御回路（１１９）、モーター（ＭＯ）および表示回路（１１７）からなる回路部（１２０）への給電を停止するよう構成されている。」（第３頁左上欄第１７行〜同頁右上欄第１５行）
　
（お）「尚、カメラ本体側の回路部のほとんどの機能はマイクロコンピュータ（以下、マイコンと称する）により達成される。」（第３頁右下欄第１２〜１４行）
　
（か）「測光スイッチ（ＭＥＳ）はレリーズボタン（不図示）の押下げ操作の第１段階で閉成され、このスイッチ（ＭＥＳ）が閉成されると、インバータ（ＩＮ１）を介してマイコン（ＭＣ２）の入力端子（ｉ０）に“Ｈｉｇｈ”レベルの信号が与えられる。これに応答してマイコン（ＭＣ２）の端子（Ｏ０）が“Ｈｉｇｈ”となり、・・・マイコン（ＭＣ２）の出力端子（Ｏ０）からの“Ｈｉｇｈ”レベル信号は、バッファ（ＢＦ）により・・・の電源電圧（ＶＬ）として、接続端子群（ＣＮ１）・・・を介して・・・与えられる。」（第４頁右上欄第６行〜同頁左下欄第１２行）
　
（き）「まず、電源スイッチ（ＭＡＳ）が閉成されると、パワーオンリセット回路（ＰＯＲ１）からリセット信号（ＰＯ１）が出力される。このリセット信号（ＰＯ１）により、マイコン（ＭＣ２）はメインのフローにおけるリセット動作を#１のステップで行なう。測光スイッチ（ＭＥＳ）が閉成されることにより、#２のステップで入力端子（ｉ０）が“Ｈｉｇｈ”になったことが判明されると、タイマー割込を不可能にし（#３）、端子（Ｏ０）を“Ｈｉｇｈ”にする（#４）。これによりトランジスタ（ＢＴ１）が導通して電源ライン（ＶＢ）からの給電が開始される。同時に、バッファ（ＢＦ）を介して電源ライン（ＶＬ）からコンバータ（ＣＶ）および交換レンズ（ＬＥ）への給電が開始される。」（第８頁右上欄第１３行〜同頁左下欄第７行）
　
（く）「上述のように、本発明は、レンズ交換式カメラの合焦検出装置において、交換レンズがカメラ本体に正常に装着されていることを示すデータが交換レンズから入力していることを判別手段で判定し、且つ手動動作に応答して焦点検出手段の検出動作を開始させるための動作開始信号が信号出力手段から出力された場合のみ、焦点検出手段の検出動作を開始させるようにしたので、交換レンズが装着されていなかったり、正常な装着位置に装着されていなかったり、カメラ本体と交換レンズとの間に中間リングやベローズ等が挿入されていたりして合焦を得る確率が極端に低い場合には、上記判定はなされない。従って、このような場合には上記判定がなされず焦点検出動作は行なわれないので、誤って非合焦位置に焦点調整するという無意味な焦点検出動作が防止される。また、上記判定と手動操作に応答した動作開始信号とのアンドにより実際の焦点検出動作が開始され、消費電力の点で合理的である。」（第３３頁右上欄第１７行〜同頁左下欄第１６行）が記載されている。
　
　（エ）対比・判断
　上記「（ウ）引用刊行物、（か）」の説明は、カメラにレンズが装着された状態であるが、上記刊行物１（甲第１号証）記載の発明は、カメラにレンズが装着されていようといまいと、カメラの測光スイッチ（ＭＥＳ）が閉成されると、マイコン（ＭＣ２）の端子（Ｏ０）から“Ｈｉｇｈ”レベル信号が出力されることは明らかであり、また端子（Ｏ０）から“Ｈｉｇｈ”レベル信号が出力されると、バッファー（ＢＦ）を介してカメラの接続端子（ＣＮ１）にカメラの電源からの電圧（ＶＬ）が印加されるので、刊行物１記載の発明は、付属品がカメラ本体に装着されていない時でも、カメラ本体の電気的接続部の接続端子（本件発明の「電力出力端子」）を通電状態にすることがある。 
　そこで、本願発明１〜３と上記刊行物１（甲第１号証）に記載の発明とを対比すると、刊行物１に記載の発明は、本願発明１〜３を特定する事項である「付属品が力メラ本体に装着されていない時には電気的接続部の電力出力端子を非通電状態に」する点を備えておらず、この点により本願発明１〜３は、付属品の非装着時に、カメラ本体の電気的接続部において信号ラインがショートして、内蔵したマイクロコンピュータ等が破壊されるおそれがないという効果を奏するものであり、本願発明１〜３が上記刊行物１に記載された発明であるとも、刊行物１記載の発明から容易に推考することができたものともいえない。
　
　（オ）むすび
　以上のとおりであるから、特許異議の申立の理由及び証拠によっては、本件特許請求の範囲の第１，３，５項に記載された発明についての特許を取り消すことはできない。
　また、他に本件特許請求の範囲の第１，３，５項に記載された発明についての特許を取り消すべき理由を発見しない。
　したがって、本件特許請求の範囲の第１，３，５項に記載された発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月２日（２００１．５．２）
【訂正の要旨】
　（訂正の要旨）
訂正事項ａ
　特許請求の範囲第１項を「（１）付属品の電気端子に接続されるカメラ本体の電気的接続部を有する着脱自在な接続部によって電源部を有するカメラ本体と電源を持たない付属品とを接続する電源接続装置において、前記カメラ本体と前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記カメラ本体の電源部から前記付属品に電力を供給する供給手段とを具備したことを特徴とする電源接続装置。」と訂正する。
訂正事項ｂ
　特許請求の範囲第３項を「（３）着脱自在な電源を持たない付属品の電気端子に、その装着状態で接続されるカメラ本体の電気的接続部を介して電力を供給する電源装置を有するカメラ本体であって、前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記付属品に電力を供給する供給手段を具備することを特徴とする電源装置を有するカメラ本体。」と訂正する。
訂正事項ｃ
　特許請求の範囲第５項を「（５）付属品の装着状態で付属品の電気端子に接続されるカメラ本体の電気的接続部を介して電力を供給する電源装置を有するカメラ本体に対して着脱自在な電源を持たない付属品であって、前記カメラ本体は前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して電力を供給する供給手段を具備することを特徴とするカメラ本体に対して着脱自在な付属品。」と訂正する。
訂正事項ｄ
　明細書の〔問題点を解決するための手段〕を「この発明に係る電源接続装置は、付属品の電気端子に接続されるカメラ本体の電気的接続部を有する着脱自在な接続部によって電源部を有するカメラ本体と電源を持たない付属品とを接続する電源接続装置において、前記カメラ本体と前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記カメラ本体の電源部から前記付属品に電力を供給する供給手段とを具備したものである。
　また、この発明に係る電源装置を有するカメラ本体は、着脱自在な電源を持たない付属品の電気端子に、その装着状態で接続されるカメラ本体の電気的接続部を介して電力を供給する電源装置を有するカメラ本体であって、前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して前記付属品に電力を供給する供給手段を具備したものである。
　さらに、この発明に係るカメラ本体に対して着脱自在な付属品は、付属品の装着状態で付属品の電気端子に接続されるカメラ本体の電気的接続部を介して電力を供給する電源装置を有するカメラ本体に対して着脱自在な電源を持たない付属品であって、前記カメラ本体は前記付属品の装着において状態が第１の状態から第２の状態へ切り換わるスイッチと、前記付属品がカメラ本体に装着されていない時には前記電気的接続部の電力出力端子を非通電状態にし、前記スイッチの状態が前記第２の状態であり、且つ前記カメラ本体が特定の動作状態であることを内蔵したマイクロコンピュータが判別した際に、前記電気的接続部の電力出力端子を通電状態にして、前記電気的接続部を介して電力を供給する供給手段を具備したものである。」と訂正する。
（５４）【発明の名称】
電源接続装置、電源装置を有するカメラ本体およびカメラ本体に対して着脱自在な付属品
（５７）【特許請求の範囲】
（１）
付属品の電気端子に接続されるカメラ本体の
前記付属品がカメラ本体に装着されていない時には前記電気的接続部の電力出力端子を非通電状態にし
前期電気的接続部の電力出力端子を通電常態にして
（２）前記接続部は装着状態の維持及び装着状態を解除するためのロック部材を有し、前記スイッチは前記ロック部材に連動しており、「前記カメラ本体と前記付属品との装着完了において状態が前記第１の状態から前記第２の状態へ切り換わるとともに、前記ロック部材の解除のための操作に応じて状態が前記第２の状態から第１の状態へ切り換わり装着状態の解除に先立ち電力供給を停止するようにしたことを特徴とする特許請求の範囲第１項記載の電源接続装置。
（３）着脱自在な電源を持たない付属品
の電気端子
カメラ本体の
前記付属品がカメラ本体に装着されていない時には前記電気的接続部の電力出力端子を非通電状態にし、
前記電気的接続部の電力出力端子を通電状態にして、
（４）前記付属品はレンズユニットであることを特徴とする特許請求の範囲第３項記載の電源装置を有するカメラ本体。
（５）
付属品の
付属品の電気端子に
カメラ本体の
電源装置を有する
前記付属品がカメラ本体に装着されていない時には前期電気的接続部の電力出力端子を非通電状態にし、
前記電気的接続部の電力出力端子を通電状態にして、
（６）前記付属品はレンズユニットであることを特徴とする特許請求の範囲第５項に記載のカメラ本体に対して着脱自在な付属品。
【発明の詳細な説明】
〔産業上の利用分野〕
　この発明は、電源接続装置、電源装置を有するカメラ本体およびカメラ本体に対して着脱自在な付属品に関するものである。
〔従来の技術〕
　従来の電源接続装置としては、例えば、交換レンズ式のカメラに採用されているものがある。この種のカメラにおいては、例えばマイクロコンピュータや電源を内蔵したカメラ本体に、同じくマイクロコンピュータと絞りや光学系を駆動するためのモータを内蔵したレンズユニットが着脱可能になっており、通常はレンズユニットをカメラ本体に装着した時、電気接点が直接接続されて電源ラインが開設される構成となっている。
〔発明が解決しようとする課題〕
　しかし、このような従来のカメラにあっては、上述のように、レンズユニットのカメラ本体への装着時に電気接点が直接接続されて電源ラインが開設されるようになっているので、レンズユニットを装着しないときでも、上記電気接点は、常に通電状態になっていた。このため、信号ラインがショートし易く、したがって信頼性に欠けるところがあった。
　このような問題点を解決するものとしては、電気接点を構成する各電気端子を光学系の光軸方向または光軸に垂直な方向にずらして配置し、接続すべき電気端子以外の端子とは接触しないように構成して信号ラインのショートを防止するようにしているものがある。
　しかし、この構造のものは、カメラ本体とレンズユニットの接続部に大きなスペースを必要とするため、限られたスペース内では少数の電気端子しか配置できないし、所要数の電気端子を配置すればカメラが大型化する。また、レンズユニットを装着しないときは、各電気端子は常に通電状態にあるので、各端子に金属片等が接触して信号ラインがショートする可能性があった。このような理由から上記問題点は根本的には解決されていなかった。
　この発明は、上記のような問題点を解決するためになされたもので、信号ラインのショートのおそれがなく、したがって、内蔵したマイクロコンピュータが破壊されるおそれのない信頼性の高い電源接続装置、電源装置を有するカメラ本体およびカメラ本体に対して着脱自在な付属品を提供することを目的とする。
〔問題点を解決するための手段〕
　この発明に係る電源接続装置は、
付属品の電気端子に接続されるカメラ本体の
前記付属品がカメラ本体に装着されていない時には前記電気的接続部の電力出力端子を非通電状態にし
前記電気的接続部の電力出力端子を通電状態にして
　また、この発明に係る電源装置を有するカメラ本体は、着脱自在な電源を持たない付属品
の電気端子
カメラ本体の
前記付属品がカメラ本体に装着されていない時には前記電気的接続部の電力出力端子を非通電状態にし、
前記電気的接続部の電力出力端子を通電状態にして、
　さらに、この発明に係るカメラ本体に対して着脱自在な付属品は、
付属品の
付属品の電気端子に
カメラ本体
電源装置を有する
前記付属品がカメラ本体に装着されていない時には前記電気的接続部の電力出力端子を非通電状態にし、
前記電気的接続部の電力出力端子を通電状態にして、
〔作用〕
　この発明の電源接続装置におけるスイッチは、カメラ本体と付属品の装着時のみ第１の状態から第２の状態へ切り換わり、供給手段は、上記スイッチの状態が前記第２の状態であり且つ前記カメラ本体が特定の動作状態であることを内蔵したマイクロコンピュータが判別した際に、前記電気的接続部を介して電源部から付属品に電力を供給する。したがって、カメラ本体と付属品の装着が完了していないときは、電気的接続部は通電状態にない。このため、非装着時に電気的接続部において信号ラインがショートして内蔵したマイクロコンピュータ等が破壊されるおそれはない。
　また、この発明の電源接続装置においては、内蔵したマイクロコンピュータにより電力の供給を制限できるようにしたので、必要のない場合や、供給可能状態でない場合には、電力の供給をしないようにしたり、電力供給を停止させることにより、節電効果や安全性を高めることができる。
　また、この発明の電源装置を有するカメラ本体におけるスイッチは、付属品の装着により第１の状態から第２の状態へ切り換わり、供給手段は、このスイッチの状態が前記第２の状態であり且つ前記カメラ本体が特定の動作状態であることを内蔵したマイクロコンピュータが判別した際に、電気的接続部を介して付属品に電力を供給する。したがって、電源装置に付属品が装着されていないときは、上記電気的接続部は通電状態にない。このため、非装着時に電気的接続部において、信号ラインがショートしたマイクロコンピュータ等が破壊されるおそれはない。
　また、この発明の電源装置を有するカメラ本体においては、内蔵したマイクロコンピュータにより電力の供給を制限できるようにしたので、必要のない場合や、供給可能状態でない場合には、電力の供給をしないようにしたり、電力供給を停止させることにより、節電効果や安全性を高めることができる。
　さらに、この発明のカメラ本体に対して着脱自在な付属品を電源接続装置にカメラ本体とともに装着したときのみ、同装置のスイッチは第１の状態から第２の状態に切り換わる。また、上記付属品をカメラ本体に装着したとき、同カメラ本体のスイッチは第１の状態から第２の状態に切り換わる。
〔実施例〕
　第１〜３図はこの発明の一実施例を示したものである。この実施例は従来例と同様、交換レンズ式カメラに採用したものである。
　第１図において、１はカメラ本体、２はこのカメラ本体１に着脱可能なレンズユニット（本発明にいう電源を持たない付属品）、３はカメラ本体１のマウント、４はレンズユニット２のマウントである。５はカメラ本体１側の接続部としての電気端子、６はレンズユニット２側の同じく接続部としての電気端子、Ｔ１はこれら両端子５，６によって構成される電気接点である。電気端子５，６のうち、５ａ，６ａは電気的接続部で、前者５ａは電力出力端子、後者６ａは電力入力端子である。電気接点Ｔ１は、レンズユニット２をカメラ本体１に、それらのマウント４，３において嵌め合わせて回転装着したとき、丁度電気的に接続されるようになっている。Ｐはレンズユニット２をカメラ本体１に、装着完了位置において固定するための手動ロックピンＰに駆動されて開閉されるスイッチである。７はカメラ本体１に内蔵されている電源部、８は電力出力端子５ａに電力を供給するための電源線、９はスイッチＴ２と電力出力端子５ａとの間に設けた制御手段で、スイッチＴ２が閉じ、レンズユニット２のカメラ本体１への装着が完了した時、電源部７から電力出力端子５ａに供給される電力を制御するためのものである。
　上記ロックピンＰは、第２図に示すように、ばね１０で付勢してレンズユニット２の外側へ突出させてある。このピンＰは、カメラ本体１のマウント３に設けた挿入溝１１に嵌合されてレンズユニット２を装着完了位置に固定する固定ピン部ａと、マウント３のフランジ３ａに進退可能に装着された作動部材１２を、その押さえばね１３による付勢に抗して押し出すことによってスイッチＴ２を閉じる駆動ピン部ｂとにより構成されている。スイッチＴ２は、常時開状態に設定されており、ロックピンＰによって押し出された作動部材１２によって閉じるようになっている。
　第３図は第１図と第２図に示したカメラの電気的な構成を示すブロック図である。
　制御手段９において、９−１は電力供給を制御するトランジスタ、９−２はトランジスタ９−１のオン，オフを制御するための信号を出力するアンドゲート、９−３は電力供給を制御する信号を発生するマイクロコンピュータ（ＣＰＵ）、９−４はスイッチＴ２が開状態である場合に、ゲート９−２の一方の入力端子に“０”を入力するためのプルダウン用抵抗である。
　いま、レンズユニット２の装着が完了しておらず、スイッチＴ２がオンしていない場合には、アンドゲート９−２の一方の入力端子には“０”が入力しており、そのゲート９−２の出力は“０”で、したがって、トランジスタ９−１もオフし、電力出力端子５ａに電圧は発生しない。レンズユニット２の装着が完了して第１図および第２図において説明したようにスイッチＴ２がオンとなると、アンドゲート９−２には抵抗９−４で発生した信号“１”が入力し、ＣＰＵ９−３から“１”が出力されていれば、ゲート９−２への出力は“１”となってトランジスタ９−１はオンしてすでに接続されている端子５ａ，６ａを介してユニットレンズ２の回路Ｌに電力が供給される。
　なお、ユニットレンズ２の装着が完了していても、例えば、カメラ本体１のレリーズスイッチがオンされていないため、ＣＰＵ９−３から“０”が出力されている際には、トランジスタ９−１はオフでユニットレンズ２の回路Ｌに供給される電力を切ることができる。
　次に作用を説明する。
　レンズユニット２をカメラ本体１に、それらのマウント４，３を嵌め合わせることによって挿入し、しかるのち、レンズユニット２を廻すと、これが丁度装着完了位置にくる。この位置においては、電気接点Ｔ１、すなわち、カメラ本体１側の電気端子５とレンズユニット２側の電気端子６が接続される。一方、これとほぼ同時に、スイッチＴ２が閉じる。すなわち、ロックピンＰがカメラ本体１のマウント３の挿入溝１１に固定ピン部ａにおいて挿入されると同時に、駆動ピン部ｂにおいて作動部材１２を押し出してスイッチＴ２を閉じる。上記ロックピンＰの固定ピン部ａが挿入溝１１に挿入されたとき、レンズユニット２がカメラ本体１に固定される。
　上記スイッチＴ２が閉じると、制御手段９はかかる状態を判別してカメラ本体１内の電源部７から電気接点Ｔ１に通ずる電源線８を通電状態とし、レンズユニット２側への電力供給が可能になる。
　レンズユニット２を取り外すときは、図外の操作部材を操作してロックピンＰを挿入溝１１から外すことによってレンズユニット２の固定を解除する。そのあとは、装着時とは反対方向へ所定位置まで廻して外せばよい。なお、上記電力の供給は、ロックピンＰを挿入溝１１から外してスイッチＴ２を開いた時点で絶たれることになる。したがって、カメラ本体１とレンズユニット２との接続面が摺動する場合には、すでに電力の供給は絶たれているので、より一層確実に事故を防止できる。
　上述のように、この実施例においては、レンズユニット２をカメラ本体１に装着してスイッチＴ２が閉じた時のみ、カメラ本体１からレンズユニット２側へ給電できるようにしたので、レンズユニット２をカメラ本体１に装着していない時は、電気接点Ｔ１のカメラ本体１側の電力出力端子５ａは通電状態になっていない。したがって、何らかの理由で、上記電力出力端子５ａ部分に鉄片等が触れることがあっても、信号ラインにショートを生ずるおそれはなく、これが原因で内蔵したマイクロコンピュータが破壊されるおそれはない。このため、信頼性の高いカメラを得ることができる。
　また、上記実施例の電力供給ラインでは、制御手段９を通して電力が供給されるので、大電力を供給しなければならない場合に、極めて信頼性の高い系となる。また、電力供給手段は、他の制御情報、例えば、カメラ本体の電源スイッチのオン，オフにより、上記電力供給を制御できるので、レンズユニットの装着完了で状態が切り換わるメカニカルなスイッチを介して直接電力供給を行う方法に比して節電効果、すなわち、必要のない場合には、上記電力供給を停止することによって不必要な電力消費を減少させる効果が得られる。
　上記実施例におけるスイッチＴ２は、カメラ本体１側に配設されるものであるが、このスイッチＴ２を作動させるためのロックピンＰおよび挿入溝１１は、上記実施例とは逆に、すなわち、ロックピンＰをカメラ本体１側に、挿入溝１１をレンズユニット２側に配設する構造としても、実施例と同様の効果が得られる。
　また、上記実施例においては、スイッチＴ２として機械式のものを採用したが、例えば、磁気センサーを応用したもの等を採用することもできる。なお、上記実施例では、カメラ本体とレンズユニットの組合せを考えたが、この他の装置にもこの発明は適用できる。
〔発明の効果〕
　以上説明したように、この発明によれば、信号ラインのショートのおそれがなく、したがって、内蔵したマイクロコンピュータ等が破壊されるおそれがない信頼性の高い電源接続装置、電源装置を有するカメラ本体およびカメラ本体に対して着脱自在な付属品を得ることができる。
　また、内蔵したマイクロコンピュータにより電力の供給を制限できるようにしたので、必要のない場合や、供給可能状態でない場合には、電力の供給をしないようにしたり、電力供給を停止させることにより、節電効果や安全性を高めることができる。
【図面の簡単な説明】
　第１図はこの発明をカメラに適用した場合に実施例の斜視図、第２図は第１図の要部拡大斜視図、第３図は第１図実施例の電気構成を示すブロック図である。
１……カメラ本体
２……レンズユニット（付属品）
Ｔ１……スイッチ
Ｔ２……スイッチ
５，６……電気端子（接続部）
７……電源部
９……制御手段
Ｐ……手動ロック部材